(57)【要約】【課題】光源から射出された光の量を調節して画像を表示する画像表示装置においてフリッカを低減する。【解決手段】（ａ）基準駆動電圧よりも高い駆動電圧で表示素子を駆動する第１種の駆動と、基準駆動電圧よりも低い駆動電圧で表示素子を駆動する第２種の駆動と、を交互に実行して、光源から射出された光のうち駆動電圧に応じた量の光を表示素子から射出する。（ｂ）第１種と第２種の駆動時に表示素子から射出される光の光量に応じてパラメータを決定する。そして、（ｃ）パラメータに従って、表示素子の駆動の種類に応じて光源の光量を制御する。このような構成とすれば、光源から同じ量の光を受け取って同じ画像信号に基づいて表示素子が射出する光の量が、第１種の駆動と第２種の駆動とで異なっている場合に、光源の光量を制御することによって、表示素子が射出する光の量の違いを少なくすることができる。よって、反転駆動時のフリッカを低減できる。【選択図】図２
2008152108.tif 000002
【特許請求の範囲】
【請求項１】
明るさが異なる光で画像を表示することができる表示装置であって、
光を射出する光源と、
前記光源を制御する光源制御部と、
前記光を受け取って、前記受け取った光のうち印加される駆動電圧に応じた量の光を射出し、基準駆動電圧よりも高い駆動電圧と、前記基準駆動電圧よりも低い駆動電圧と、で同じ量の光を射出することができる表示素子と、
画像信号に基づいて前記表示素子を制御し、前記基準駆動電圧よりも高い駆動電圧による前記表示素子の第１種の駆動と、前記基準駆動電圧よりも低い駆動電圧による前記表示素子の第２種の駆動と、を交互に繰り返す表示素子制御部と、
前記表示素子が射出する光の光量を測定するためのセンサと、を備え、
前記光源制御部は、前記第１種と第２種の駆動時の前記センサの出力に応じて定められたパラメータに従って、前記表示素子の前記駆動の種類に応じて前記光源の光量を制御する、表示装置。
【請求項２】
請求項１記載の表示装置であって、さらに、
前記表示素子制御部は、一定の時間ごとに前記第１種と第２種の駆動を交互に繰り返し、
前記表示装置は、さらに、
前記第１種の駆動時の第１の時刻における前記光量に関する前記センサからの第１の出力と、前記第２種の駆動時の前記光量に関する前記センサからの第２の出力であって前記第１の時刻よりも前記一定の時間だけ前の第２の時刻の前記光量に関する第２の出力と、に基づいて、前記画像信号が一定である場合の前記第１種と第２種の駆動時における前記表示素子の光量の差が小さくなるように前記パラメータを決定するパラメータ決定部を備える、表示装置。
【請求項３】
請求項２記載の表示装置であって、さらに、
前記表示素子から射出される光を受け取って、前記表示装置外に投写するための投写光学系を備え、
前記センサは、前記表示素子から射出される光の光路外に設置され、前記投写光学系からの散乱光を測定することができるように構成される、表示装置。
【請求項４】
請求項１記載の表示装置であって、さらに、
所定のタイミングで、前記第１種と第２種の駆動時の前記センサの出力に応じて参照データを生成する参照データ生成部と、
前記画像信号に基づいて画像を表示する際に、前記参照データを参照して前記パラメータを決定するパラメータ決定部と、を備える表示装置。
【請求項５】
請求項４記載の表示装置であって、
前記参照データは、前記パラメータを、画像の明るさと対応づけて格納するデータであり、
前記パラメータ決定部は、前記参照データを参照して、前記画像信号の画像の明るさに応じて前記パラメータを決定する、表示装置。
【請求項６】
請求項４記載の表示装置であって、
前記所定のタイミングは、前記表示装置の使用時にユーザによって前記参照データの生成を指示されたタイミングを含む、表示装置。
【請求項７】
請求項４記載の表示装置であって、
前記所定のタイミングは、前回の前記参照データの生成からあらかじめ定められた時間が経過した後であって、所定の条件が満たされたタイミングを含む、表示装置。
【請求項８】
明るさが異なる光で画像を表示する方法であって、
（ａ）基準駆動電圧よりも高い駆動電圧で表示素子を駆動する第１種の駆動と、前記基準駆動電圧よりも低い駆動電圧で前記表示素子を駆動する第２種の駆動と、を交互に実行して、光源から射出された光のうち前記駆動電圧に応じた量の光を前記表示素子から射出する工程と、
（ｂ）前記第１種と第２種の駆動時に前記表示素子から射出される光の光量に応じてパラメータを決定する工程と、
（ｃ）前記パラメータに従って、前記表示素子の前記駆動の種類に応じて前記光源の光量を制御する工程と、を含む表示方法。
【発明の詳細な説明】
【技術分野】
【０００１】
この発明は、光源から射出された光の量を調節することによって画像を表示する画像表示装置に関する。
【背景技術】
【０００２】
プロジェクタに使用される液晶ライトバルブは、駆動電圧を印加されて液晶の向きを変えることによって、光源から射出された光のうち液晶ライトバルブを通過する光の量を調整する。そのような液晶ライトバルブおいては、同じ量の光を通過させるのに、プラスとマイナスの二つの極性の駆動電圧が使用される。すなわち、基準電圧（コモン電圧）から電圧を上げることによって液晶を駆動させて、所定量の光を通過させる。また、基準電圧から電圧を下げることによって液晶を駆動させて、同じ量の光を通過させる。このような処理を行うことで、液晶素子に特定の極性の電圧が蓄積することによって生じる、いわゆる「焼き付き」を防止することができる。
【０００３】
そのような液晶ライトバルブを備えたプロジェクタで画像を表示する際には、＋側の電圧で液晶ライトバルブを駆動する時間区間と、−側の電圧で液晶ライトバルブを駆動する時間区間とが交互に繰り返される。コモン電圧が適正に調整されていれば、そのように駆動電圧を反転させても、ユーザの目には同じ色や画像が表示され続けているように見える。
【０００４】
しかし、工場出荷時には、コモン電圧よりも高い駆動電圧Ｖ１とコモン電圧よりも低い駆動電圧Ｖ２とで同じ量の光を通過させるように調整されていた液晶ライトバルブが、様々な理由によって、駆動電圧Ｖ１とＶ２とで異なる量の光を通過させるようになる場合がある。そのような場合には、プラス極性の駆動電圧によって表現される色と、マイナス極性の駆動電圧によって表現される色と、が異なってしまう。その結果、プラス極性の電圧Ｖ１で液晶ライトバルブを駆動する時間区間と、マイナス極性の電圧Ｖ２で液晶ライトバルブを駆動する時間区間とが交互に繰り返されることによって、画像がちらついて見える。このような現象を「フリッカ」という。
【０００５】
ある従来技術においては、ｎ番目と（ｎ＋１）番目のフィールドの輝度を測定し、両者の差に所定の係数を掛けたものを（ｎ＋２）番目のフィールドの入力信号に重畳する（特許文献１）。その結果、ｎ番目と（ｎ＋１）番目のフィールドの輝度の差に基づいて、（ｎ＋２）番目のフィールド全体の駆動電圧が改変される。
【０００６】
【特許文献１】特開２００３−２３４９８１号公報
【０００７】
ところで、液晶ライトバルブに印加する駆動電圧と、透過する光の量、すなわち表示される色の明るさ（輝度）とは非線形の関係にある。このため、液晶ライトバルブを使用するプロジェクタにおいては、ある色のある階調を表現するためには、どの程度の駆動電圧（コモン電圧より高い電圧と低い電圧）を印加すべきか、の情報がテーブルの形で保持されている。このテーブルは、プロジェクタの工場出荷時において設定されていたコモン電圧を前提として生成されている。また、このほかにも、様々な画質調整用のデータが工場出荷時におけるコモン電圧を前提として生成され、プロジェクタ内に保持されており、プロジェクタの使用時に参照される。
【０００８】
上記の従来技術のように、プラスとマイナスの両極性における色のズレを解消するために、入力信号を全体にずらし、その結果、液晶ライトバルブの駆動電圧を全体にずらした場合には、各入力信号に対応して表示される色の明るさの改変量は一定とはならない。前述のように、液晶ライトバルブに印加する駆動電圧と、表示される色の輝度とは非線形の関係にあるからである。よって、上記の従来技術は、プロジェクタが保持している画質調整のためのテーブルやデータを有効に活用することができない。そして、上記の従来技術を適用した場合、表示される画像の質が低下する可能性がある。
【０００９】
このようなフリッカの問題は、液晶ライトバルブを使用したプロジェクタに限らず、光源から射出された光の量を駆動電圧に応じて調節して画像を表示する画像表示装置において広く生じうる。
【発明の開示】
【発明が解決しようとする課題】
【００１０】
本発明は、上記の課題の少なくとも一部を取り扱うためになされたものであり、光源から射出された光の量を調節して画像を表示する画像表示装置においてフリッカを低減することを目的とする。
【課題を解決するための手段】
【００１１】
上記目的を達成するために、本発明の一態様は、明るさが異なる光で画像を表示することができる表示装置において、以下のような構成を備える。この表示装置は、光を射出する光源と、その光源を制御する光源制御部と、光源からの光を受け取って、その受け取った光のうち印加される駆動電圧に応じた量の光を射出する表示素子と、画像信号に基づいて表示素子を制御する表示素子制御部と、表示素子が射出する光の光量を測定するためのセンサと、を備える。表示素子は、基準駆動電圧よりも高い駆動電圧と、基準駆動電圧よりも低い駆動電圧と、で同じ量の光を射出することができる。また、表示素子制御部は、基準駆動電圧よりも高い駆動電圧による表示素子の第１種の駆動と、基準駆動電圧よりも低い駆動電圧による表示素子の第２種の駆動と、を交互に繰り返す。そのような表示装置において、光源制御部は、センサの出力に応じて定められたパラメータに従って、表示素子の駆動の種類に応じて光源の光量を制御する。
【００１２】
このような構成とすれば、光源から同じ量の光を受け取って同じ画像信号に基づいて表示素子が射出する光の量が、第１種の駆動と第２種の駆動とで異なっている場合にも、光源の光量を制御することによって、表示素子が射出する光の量の違いを少なくすることができる。よって、反転駆動時のフリッカを低減できる。なお、「表示素子の駆動の種類」とは、第１種の駆動と第２種の駆動を意味する。
【００１３】
なお、表示素子制御部が、一定の時間ごとに第１種と第２種の駆動を交互に繰り返す態様においては、以下のような構成とすることが好ましい。すなわち、表示装置は、さらに、第１種の駆動時の第１の時刻における光量に関するセンサからの第１の出力と、第２種の駆動時の光量に関するセンサからの第２の出力であって第１の時刻よりも一定の時間だけ前の第２の時刻の光量に関する第２の出力と、に基づいて、画像信号が一定である場合の第１種と第２種の駆動時における光量の差が小さくなるようにパラメータを決定するパラメータ決定部を備える。
【００１４】
このような態様とすれば、表示素子が射出する実際の光の光量に基づいて、光源の光量を制御することができる。このため、表示素子が射出する光の量が変化する場合にも、その変化に応じて、光源の光量を制御することができる。
【００１５】
なお、表示装置は、さらに、表示素子から射出される光を受け取って、表示装置外に投写するための投写光学系を備えることができる。そのような態様において、センサは、表示素子から射出される光の光路外に設置され、投写光学系からの散乱光を測定することができるように構成されることが好ましい。センサは、たとえば、その投写光学系に含まれる光学素子からの散乱光を測定することができるように構成されることが好ましい。
【００１６】
このような態様とすれば、表示素子から射出される光を遮ることなく表示素子が射出する光の光量を測定することができる。よって、画像信号に基づいて画像を表示しながら光源の光量を制御することができる。なお、「光路」とは、表示素子から射出される光であって画像を表示するための光が占める空間を意味する。
【００１７】
また、表示装置は、以下のような構成を備えることができる。すなわち、表示装置は、所定のタイミングで、第１種と第２種の駆動時のセンサの出力に応じて参照データを生成する参照データ生成部と、画像信号に基づいて画像を表示する際に、参照データを参照してパラメータを決定するパラメータ決定部と、を備えることができる。このような態様とすれば、画像信号に基づいて画像を表示する際に、簡易な処理で光源の光量を制御することができる。
【００１８】
なお、参照データは、パラメータを、画像の明るさと対応づけて格納するデータとすることができる。そして、パラメータ決定部は、参照データを参照して、画像信号の画像の明るさに応じてパラメータを決定することができる。
【００１９】
このような態様とすれば、画像信号の画像の明るさに応じて、第１種と第２種の駆動時の明るさの違いを解消するように、光源の光量を制御することができる。
【００２０】
また、参照データを生成する所定のタイミングは、表示装置の使用時にユーザによって参照データの生成を指示されたタイミングを含むことができる。そして、参照データを生成する所定のタイミングは、前回の参照データの生成からあらかじめ定められた時間が経過した後であって、所定の条件が満たされたタイミングを含むことができる。所定の条件は、たとえば、表示装置の電源がＯＮとなったことや、ユーザが参照データの生成を許可すること、を含むことができる。
【００２１】
なお、本発明は、以下のような、明るさが異なる光で画像を表示する方法として実現することもできる。まず、（ａ）基準駆動電圧よりも高い駆動電圧で表示素子を駆動する第１種の駆動と、基準駆動電圧よりも低い駆動電圧で表示素子を駆動する第２種の駆動と、を交互に実行して、光源から射出された光のうち駆動電圧に応じた量の光を表示素子から射出する。また、（ｂ）第１種と第２種の駆動時に表示素子から射出される光の光量に応じてパラメータを決定する。そして、（ｃ）パラメータに従って、表示素子の駆動の種類に応じて光源の光量を制御する。
【００２２】
このような構成としても、光源から同じ量の光を受け取って同じ画像信号に基づいて表示素子が射出する光の量が、第１種の駆動と第２種の駆動とで異なっている場合に、光源の光量を制御することによって、表示素子が射出する光の量の違いを少なくすることができる。
【００２３】
なお、本発明は、種々の形態で実現することが可能であり、例えば、印刷方法および印刷装置、印刷制御方法および印刷制御装置、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２４】
Ａ．第１実施例：
Ａ１．プロジェクタの構成：
図１は、第１実施例におけるプロジェクタＰＪの概略構成を示す説明図である。プロジェクタＰＪは、３つの照明光学系１１０Ｒ，Ｇ，Ｂと、３つの液晶ライトバルブ１２０Ｒ，Ｇ，Ｂと、クロスダイクロイックプリズム１３０と、投写光学系１４０と、を備えている。また、プロジェクタＰＪは、光センサ１９２と、各部を制御する制御部１７０と、を備えている。
【００２５】
３つの照明光学系１１０Ｒ，Ｇ，Ｂのうち、照明光学系１１０Ｒは赤色光を射出するための赤色光用照明光学系である。また、照明光学系１１０Ｇは緑色光を射出するための緑色光用照明光学系である。照明光学系１１０Ｂは青色光を射出するための青色光用照明光学系である。３つの照明光学系１１０Ｒ，Ｇ，Ｂは、それぞれ、発光部１０２Ｒ，Ｇ，Ｂを備えている。３つの発光部１０２Ｒ，Ｇ，Ｂはそれぞれ異なる色の色光を射出する発光部である。本実施例においては、発光部１０２Ｒ，Ｇ，Ｂは、それぞれ、赤色光、緑色光、青色光を射出する。各発光部１０２Ｒ，Ｇ，Ｂは、例えば、発光ダイオード（ＬＥＤ）を備えている。制御部１７０は、照明光学系１１０Ｒ，Ｇ，Ｂに含まれる発光部１０２Ｒ，Ｇ，Ｂを制御して、それぞれ所定量の赤色光、緑色光、青色光を射出させる。
【００２６】
３つの液晶ライトバルブ１２０Ｒ，Ｇ，Ｂのうち、液晶ライトバルブ１２０Ｒは照明光学系１１０Ｒから射出された赤色光を変調するための赤色光用液晶ライトバルブである。また、液晶ライトバルブ１２０Ｇは照明光学系１１０Ｇから射出された緑色光を変調するための緑色光用液晶ライトバルブである。液晶ライトバルブ１２０Ｂは照明光学系１１０Ｂから射出された青色光を変調するための青色光用液晶ライトバルブである。液晶ライトバルブ１２０Ｒ，Ｇ，Ｂは、それぞれ制御部１７０から供給された色データを用いて、照明光学系１１０Ｒ，Ｇ，Ｂから射出された３つの色光を変調する。これにより、各液晶ライトバルブ１２０Ｒ，Ｇ，Ｂから、各色の画像を表す光（画像光）が射出される。
【００２７】
制御部１７０は、液晶ライトバルブ１２０Ｒ，Ｇ，Ｂに、それぞれ赤色、緑色、青色のアナログ画像データ（本明細書において「色データ」とも呼ぶ）を供給する。これらの３色の色データは、制御部１７０に供給された一つのカラー画像データの画像を赤、緑、青の各色成分による画像に分解することによって得られたものである。３つの色データは、液晶ライトバルブ１２０Ｒ，Ｇ，Ｂに適した同期信号を利用して生成されており、液晶ライトバルブ１２０Ｒ，Ｇ，Ｂに適した解像度（画素数）を有している。また、制御部１７０は、３つの液晶ライトバルブ１２０Ｒ，Ｇ，Ｂに同期信号を含む種々のタイミング信号を供給する。
【００２８】
クロスダイクロイックプリズム１３０は、３つの液晶ライトバルブ１２０Ｒ，Ｇ，Ｂから射出された３色の画像光を合成する。投写光学系１４０は、合成済みの画像光をスクリーン上に投写して、スクリーン上にカラー画像（合成済み画像）を形成する。
【００２９】
光センサ１９２は、投写光学系１４０の近傍であって、投写光学系１４０から射出され画像の投射に使用される画像光の光路の外に設けられている。そして、光センサ１９２は、投写光学系１４０から射出された光のうち、画像の投射に使用されない一部の光（散乱光）が入射するように配置されている。この光センサ１９２は、たとえば、投写光学系１４０のひとみ位置の散乱光を測定できる位置に設けられることが好ましい。
【００３０】
本実施例では、光センサとして、フォトダイオードが利用される。光センサに入射する一部の光は、投写光学系１４０から射出された後に光センサに直接的に入射する光であってもよいし、発光部から射出された後に他の構成部材で反射されて光センサに入射する間接的な光であってもよい。
【００３１】
制御部１７０は、光センサ１９２から光検出値を取得する。そして、制御部１７０は、光検出値を用いて、各発光部１０２Ｒ，Ｇ，Ｂから射出される光の強度を決定するためのルックアップテーブルを生成する。
【００３２】
なお、図１では、便宜上、発光部１０２Ｒ，液晶ライトバルブ１２０Ｒと、制御部１７０と、の間の信号の遣り取りのみが示されているが、他の発光部１０２Ｇ，Ｂ、ならびに液晶ライトバルブ１２０Ｇ，Ｂと制御部１７０との間でも同様に信号が遣り取りされる。
【００３３】
Ａ２．制御部の構成および機能：
（１）制御部の構成：
図２は、制御部１７０（図１参照）の構成を示すブロック図である。制御部１７０は、第１のＤＳＰ（Digital Signal Processor）１７１と、液晶駆動部１７２と、第２のＤＳＰ１７３と、センサ駆動部１７４と、ＰＷＭ（Pulse Width Modulation）信号生成部１７５と、光源駆動部１７６と、を備えている。
【００３４】
第１のＤＳＰ１７１は、外部から映像信号ＩＳを受け取る。映像信号ＩＳは、プロジェクタＰＪで投射すべき画像を表す信号である。第１のＤＳＰ１７１は、この映像信号ＩＳに基づいて、投射すべき画像の平均輝度レベル（ＡＰＬ：Average Picture Level）を計算する。また、第１のＤＳＰ１７１は、映像信号ＩＳと同期した光源駆動トリガＬＤＴを生成する。光源駆動トリガＬＤＴは、発光部１０２Ｒ，Ｇ，Ｂを発光させるタイミングを指定する信号である。
【００３５】
第１のＤＳＰ１７１は、平均輝度レベルを表す平均輝度レベル信号ＡＰＬと、光源駆動トリガＬＤＴとを第２のＤＳＰ１７３に供給する。また、第１のＤＳＰ１７１は、映像信号ＩＳを液晶駆動部１７２に供給する。
【００３６】
液晶駆動部１７２は、供給された映像信号ＩＳに基づいて、赤色、緑色、青色の各色データＩＳｒ，ＩＳｇ，ＩＳｂを生成する。液晶駆動部１７２は、色データＩＳｒ，ＩＳｇ，ＩＳｂを対応する液晶ライトバルブ１２０Ｒ，Ｇ，Ｂに供給して、液晶ライトバルブ１２０Ｒ，Ｇ，Ｂを駆動する（図１参照）。なお、本明細書および図面において、液晶ライトバルブ１２０Ｒ，Ｇ，Ｂを区別せずに記述するときには、液晶ライトバルブ１２０と表記することがある。同様に、発光部１０２Ｒ，Ｇ，Ｂを区別せずに記述するときには、発光部１０２と表記することがある。
【００３７】
液晶駆動部１７２は、液晶ライトバルブ１２０に対して、１／６０秒単位で一つのフレーム画像を表示するような色データを供給する。また、液晶駆動部１７２は、液晶ライトバルブ１２０に対して、１／１２０秒の時間区間ごとに交互に、プラス極性の駆動電圧とマイナス極性の駆動電圧とを供給する。その結果、一つのフレーム画像は、液晶ライトバルブ１２０によって、まず１／１２０秒間だけプラス極性の駆動電圧を使用して表示され、次の１／１２０秒間は、マイナス極性の駆動電圧を使用して表示される。なお、液晶ライトバルブの駆動電圧の極性は、液晶画面全体についてほぼ同時に切り換えられる。このような駆動方式を「面順次駆動」という。これに対して、液晶画面の上のラインから順に駆動電圧の極性を切り換える方式を「線順次駆動」という。
【００３８】
図２の第２のＤＳＰ１７３は、平均輝度レベル信号ＡＰＬと、光源制御パラメータＬＣＰとを対応づけて格納している１次元ルックアップテーブル１７７を有している。以下では、ルックアップテーブルを「ＬＵＴ」とも表記する場合がある。
【００３９】
第２のＤＳＰ１７３は、１次元ＬＵＴ１７７を参照して、映像信号ＩＳの平均輝度レベル信号ＡＰＬに基づいて光源制御パラメータＬＣＰを決定する。光源制御パラメータＬＣＰは、マイナス極性の駆動電圧で液晶ライトバルブ１２０を駆動する際の発光部１０２の発光量を調整するためのパラメータである。
【００４０】
マイナス極性の駆動電圧で液晶ライトバルブ１２０を駆動することを、以下では「マイナス駆動」と呼ぶ。プラス極性の駆動電圧で液晶ライトバルブ１２０を駆動することを、以下では「プラス駆動」と呼ぶ。第２のＤＳＰ１７３が決定する光源制御パラメータＬＣＰによって、マイナス駆動時の各液晶ライトバルブ１２０Ｒ，Ｇ，Ｂを通過した後の合成光の明るさが、プラス駆動時の各液晶ライトバルブ１２０Ｒ，Ｇ，Ｂを通過した後の合成光の明るさとほぼ同じになるように、マイナス駆動時の発光部１０２Ｒ，Ｇ，Ｂの発光量が調整される。
【００４１】
第２のＤＳＰ１７３は、光源制御パラメータＬＣＰと、光源駆動トリガＬＤＴとをＰＷＭ信号生成部１７５に供給する。また、第２のＤＳＰ１７３は、センサ１９２の測定値ＳＯａに基づく出力信号ＳＯを送信させるためのセンサ駆動信号ＳＤを、センサ駆動部１７４に送る。そして、第２のＤＳＰ１７３は、出力信号ＳＯをセンサ駆動部１７４から受け取る。
【００４２】
第２のＤＳＰ１７３は、所定のタイミングで、センサ駆動部１７４から受け取る出力信号ＳＯに基づいて、１次元ＬＵＴ１７７を生成する。１次元ＬＵＴ１７７の生成については、後に説明する。
【００４３】
ＰＷＭ信号生成部１７５は、光源制御パラメータＬＣＰと、光源駆動トリガＬＤＴとに基づいて、ＰＷＭ信号ＬＤＳを生成し、光源駆動部１７６に送る。ＰＷＭ信号生成部１７５は、光源制御パラメータＬＣＰとＰＷＭ信号のデューティとを対応づけて格納している１次元ＬＵＴ１７８を有している。ＰＷＭ信号生成部１７５は、この１次元ＬＵＴ１７８を参照して、光源制御パラメータＬＣＰに基づいて、マイナス駆動時のＰＷＭ信号ＬＤＳのデューティを調整する。なお、光源駆動部１７６に供給されるＰＷＭ信号ＬＤＳのデューティによって、発光部１０２の発光量が決まる。
【００４４】
光源駆動部１７６は、ＰＷＭ信号ＬＤＳに基づいて発光部１０２Ｒ，Ｇ，Ｂの駆動電圧ＬＤＶを生成し、発光部１０２Ｒ，Ｇ，Ｂに供給する。
【００４５】
（２）１次元ＬＵＴ１７７の生成：
制御部１７０は、所定のタイミングで１次元ＬＵＴ１７７（図２参照）を新たに生成する。所定のタイミングとは、前回、１次元ＬＵＴ１７７を生成してからユーザが指定する期間（たとえば２ヶ月）が経過してから最初にプロジェクタＰＪが使用されたタイミングや、プロジェクタＰＪを使用しているときに、ユーザによって１次元ＬＵＴ１７７を生成すべき旨が指示されたタイミング等を含む。
【００４６】
１次元ＬＵＴ１７７を生成する際には、まず、プラスの駆動電圧で液晶ライトバルブ１２０Ｒ，Ｇ，Ｂを駆動し、所定の階調の所定の色（たとえばグレー）を表す映像信号ＩＳを供給して、投写光学系１４０からその色に対応した光を投射する。そして、センサ１９２で投写光学系１４０の散乱光を測定する。投写光学系１４０がスクリーンへ投射する投射光の平均輝度と、散乱光との間には一定の相関関係がある。このため、センサ１９２の出力信号ＳＯａに基づいて投写光学系１４０がスクリーンへ投射する投射光の平均輝度ＬＡ１を得ることができる。
【００４７】
また、マイナスの駆動電圧で液晶ライトバルブ１２０Ｒ，Ｇ，Ｂを駆動し、プラス駆動で散乱光を測定した際と同じ映像信号ＩＳを供給して、センサ１９２で投写光学系１４０の散乱光を測定する。そして、センサ１９２の出力信号ＳＯａに基づいて、マイナス駆動時において投写光学系１４０がスクリーンへ投射する投射光の平均輝度ＬＡ２を得る。
【００４８】
その後、プラス駆動時の投射光の平均輝度ＬＡ１と、マイナス駆動時の投射光の平均輝度ＬＡ２と、の差を打ち消すように、光源制御パラメータＬＣＰが決定される。たとえば、ＬＡ１＜ＬＡ２であれば、マイナス駆動時の発光部１０２Ｒ，Ｇ，Ｂの発光量を本来の値から低減するように、光源制御パラメータＬＣＰが決定される。また、ＬＡ１＞ＬＡ２であれば、マイナス駆動時の発光部１０２Ｒ，Ｇ，Ｂの発光量を本来の値から増大させるように、光源制御パラメータＬＣＰが決定される。この光源制御パラメータＬＣＰは、プラス駆動時の投射光の平均輝度ＬＡ１と対応づけられて、新たに生成される１次元ＬＵＴ１７７に格納される。
【００４９】
以上のような処理が、互いに異なる複数の階調の色（たとえばグレー）を表す映像信号を使用して繰り返し実行される。そして、それぞれの処理で得られた光源制御パラメータＬＣＰが、それぞれの処理におけるプラス駆動時の投射光の平均輝度ＬＡ１と対応づけて、新たに生成される１次元ＬＵＴ１７７に格納される。なお、上記の処理は、すべての階調（たとえばＲ，Ｇ，Ｂそれぞれの階調値０〜２５５）について映像信号ＩＳを生成して実行する必要はない。実際に上記の処理を行って得られた複数の光源制御パラメータを使用して補間演算を行うことによって、測定されなかった平均輝度に対応する光源制御パラメータを得ることができる。
【００５０】
なお、以上で説明した１次元ＬＵＴ１７７の生成は、制御部１７０の機能部としての１次元ルックアップテーブル生成部１８０が行う。１次元ルックアップテーブル生成部１８０を、「１次元ＬＵＴ生成部１８０」として図１に示す。
【００５１】
（３）画像を表示する際の発光部および液晶ライトバルブの制御：
図３は、プロジェクタＰＪを使用して画像を表示する際の発光部および液晶ライトバルブの制御内容を示すグラフである。図３において、ＶＳｙｎｃは、液晶ライトバルブ１２０の垂直同期信号である。ＬＤＶは、液晶ライトバルブ１２０の駆動電圧である。ＬＩは、液晶ライトバルブ１２０を光が透過する量（割合）の液晶面内の平均値を表す。ＬＤＴは、光源駆動トリガである。光源駆動トリガＬＤＴは、液晶ライトバルブ１２０の垂直同期信号ＶＳｙｎｃと等しい。なお、図３においては、静止画を表示し続けた場合のＬＤＶ，ＬＩを示す。
【００５２】
駆動電圧ＬＤＶにおいて一点鎖線で示すＬＤＣは、コモン電圧である。図３から分かるように、時間区間Ｐ１，Ｐ３においては、液晶ライトバルブ１２０は、コモン電圧ＬＤＣよりも高いプラス極性の駆動電圧で駆動される。一方、時間区間Ｐ２，Ｐ４においては、液晶ライトバルブ１２０は、コモン電圧ＬＤＣよりも低いマイナス極性の駆動電圧で駆動される。なお、時間区間Ｐ１〜Ｐ４は、それぞれＴ＝１／１２０秒の時間区間である。すなわち、本実施例においては、１／１２０秒ごとに、プラス駆動とマイナス駆動が交互に行われる。
【００５３】
図３において破線で示すＬＤＣｉは、理想的なコモン電圧である。実際のコモン電圧ＬＤＣが理想的な値からずれているため、プラス駆動時における駆動電圧ＬＤＶのコモン電圧ＬＤＣとの差ｄＶ１は、マイナス駆動時における駆動電圧ＬＤＶのコモン電圧ＬＤＣとの差ｄＶ２よりも小さい。その結果、同じ映像信号ＩＳが与えられた場合に、プラス駆動時において液晶ライトバルブ１２０Ｒ，Ｇ，Ｂを光が透過する量ＬＩ１は、マイナス駆動時において液晶ライトバルブ１２０Ｒ，Ｇ，Ｂを光が透過する量ＬＩ２よりも小さい。なお、図３において破線で示すＬＩｉは、コモン電圧がＬＤＣｉであるときの液晶ライトバルブ１２０Ｒ，Ｇ，Ｂの光の透過量である。
【００５４】
図３の最下段に示すＬは、発光部１０２Ｒ，Ｇ，Ｂの発光量である。前述のように、マイナス駆動時の発光部１０２Ｒ，Ｇ，Ｂの発光量は、光源制御パラメータＬＣＰによって調整される（図２参照）。図３の例では、マイナス駆動時の発光部１０２Ｒ，Ｇ，Ｂの発光量は、光源制御パラメータＬＣＰによって本来の値に比べて低い値に改変される。その結果、マイナス駆動時の発光部１０２Ｒ，Ｇ，Ｂの発光量Ｌ２は、プラス駆動時の発光部１０２Ｒ，Ｇ，Ｂの発光量Ｌ１に比べて小さい。
【００５５】
本実施例では、マイナス駆動時Ｐ２，Ｐ４の液晶ライトバルブの光の透過量ＬＩ２の、プラス駆動時Ｐ１，Ｐ３の液晶ライトバルブの光の透過量ＬＩ１に対するずれを打ち消すように、マイナス駆動時の発光部１０２Ｒ，Ｇ，Ｂの発光量Ｌ２が調整される。このため、プラス駆動時における投写光学系１４０からの画像光の投射量と、マイナス駆動時における投写光学系１４０からの画像光の投射量と、の差を小さくすることができる。その結果、映像を投射する際に、液晶ライトバルブについてプラス駆動とマイナス駆動とを交互に行ってもユーザがフリッカを感じにくい。
【００５６】
また、本実施例においては、映像信号ＩＳの階調値や液晶ライトバルブの駆動電圧を変更するのではなく、発光部１０２Ｒ，Ｇ，Ｂの発光量を調整して、フリッカの発生を低減している。このため、工場出荷時に設定されプロジェクタＰＪ内に格納された各種の画質調整用のテーブルやデータを活用することができる。よって、フリッカを低減する処理を行っても、表示される画像の質を低下させるおそれが少ない。
【００５７】
さらに、本実施例では、映像信号ＩＳの平均輝度レベル信号ＡＰＬに応じた光源制御パラメータＬＣＰを決定し、光源制御パラメータＬＣＰに応じて発光量を調整している。このため、明るさの異なる様々な色や画像について、画質を低下させることなくフリッカの低減はかることができる。
【００５８】
Ｂ．第２実施例：
第１実施例では、所定のタイミングであらかじめ１次元ＬＵＴ１７７を生成し、画像を表示する際には、１次元ＬＵＴ１７７を参照して発光部１０２Ｒ，Ｇ，Ｂの発光量を調整する。しかし、第２実施例では、画像を表示する際に、センサ１９２を使用してプラス駆動時とマイナス駆動時の投射光の輝度を測定し、それらの測定値に基づいて発光部１０２Ｒ，Ｇ，Ｂの発光量を調整する。このため、第２実施例においては、第２のＤＳＰ１７３は、１次元ＬＵＴ１７７を有していない。第２実施例の他の点は、第１実施例と同じである。
【００５９】
図４は、第２実施例のプロジェクタを使用して画像を表示する際の発光部および液晶ライトバルブの制御内容を示すグラフである。なお、図４の最下段には、センサ１９２を使用して測定される投写光学系１４０からの画像光の平均輝度ＬｓＡを示す。また、下から２番目には、図３と同じく発光部１０２Ｒ，Ｇ，Ｂの発光量Ｌを示す。ただし、第２実施例においては、映像信号ＩＳを表示する間、発光部１０２Ｒ，Ｇ，Ｂの発光量を動的に変化させるため、各時間区間における発光部１０２Ｒ，Ｇ，Ｂの発光量を図３のＬ１，Ｌ２と区別してＬｄ１〜Ｌｄ４として示す。図４の他の表示は図３と同じである。
【００６０】
前述のように、映像信号ＩＳに基づく動画を構成する各フレームの画像は、１／６０秒の単位で切り換えられる。そして、プラス駆動を行う第１の時間区間と、その後引き続いてマイナス駆動を行う第２の時間区間においては、同じ静止画が表示される。図４の例では、時間区間Ｐ１とＰ２においては、同じフレーム画像が表示される。そして、時間区間Ｐ３とＰ４においては、同じフレーム画像が表示される。
【００６１】
第２実施例の第２のＤＳＰ１７３は、プラス駆動を行う時間区間Ｐ１内の時刻ｔｓ１において、センサ１９２を使用して投射光の平均輝度ＬｓＡを測定する。その後、マイナス駆動を行って同じ画像を表示する時間区間Ｐ２内の時刻ｔｓ２において、投射光の平均輝度ＬｓＡを測定する。時刻ｔｓ１から時刻ｔｓ２までの時間はプラス駆動またはマイナス駆動を行う時間区間の長さＴ＝１／１２０秒に等しい。
【００６２】
その後、第２のＤＳＰ１７３は、プラス駆動時の投射光の平均輝度ＬｓＡ１と、マイナス駆動時の投射光の平均輝度ＬｓＡ２と、の差を打ち消すように、光源制御パラメータＬＣＰを決定する。そして、第２のＤＳＰ１７３は、その光源制御パラメータＬＣＰを格納し、次にマイナス駆動を行う時間区間Ｐ４における発光部１０２Ｒ，Ｇ，Ｂの発光量を調整する際に、その光源制御パラメータＬＣＰをＰＷＭ信号生成部１７５に供給する。
ＰＷＭ信号生成部１７５は、その光源制御パラメータＬＣＰを使用して、マイナス駆動時のＰＷＭ信号ＬＤＳのデューティを決定する。
【００６３】
図４の例では、時間区間Ｐ２における平均輝度ＬｓＡ２は、時間区間Ｐ１における平均輝度ＬｓＡ１よりも大きい。このため、マイナス駆動を行う時間区間における発光部１０２の発光量Ｌがより低い値となるように、次のマイナス駆動時用の光源制御パラメータＬＣＰが決定される。その結果、次にマイナス駆動を行う時間区間Ｐ４における発光部１０２の発光量Ｌｄ４は、時間区間Ｐ２における発光量Ｌｄ２よりも低い値となっている。そして、時間区間Ｐ４における平均輝度ＬｓＡ４と、プラス駆動を行う直前の時間区間Ｐ３の平均輝度ＬｓＡ３との差ｄＬｓＡ３は、時間区間Ｐ２における平均輝度ＬｓＡ２と、時間区間Ｐ１の平均輝度ＬｓＡ１との差ｄＬｓＡ１よりも小さくなっている。
【００６４】
また、第２実施例の第２のＤＳＰ１７３は、プラス駆動を行う時間区間Ｐ３内の時刻ｔｓ３と、マイナス駆動を行って同じ画像を表示する時間区間Ｐ２内の時刻ｔｓ２と、において、投射光の平均輝度ＬｓＡを測定する。そして、時間区間Ｐ５用の光源制御パラメータＬＣＰが計算され、時間区間Ｐ５における発光量が調整される。以下同様の処理が繰り返される。
【００６５】
第２実施例のような態様とすれば、前の時間区間における測定値を元に後の時間区間における発光部１０２Ｒ，Ｇ，Ｂの発光量が調整される。このため、常にフリッカを低減する処理が行われることになる。よって、第１実施例のように所定のタイミングで１次元ＬＵＴ１７７を更新してその１次元ＬＵＴ１７７に基づいて発行量の調整を行う態様とは異なり、時間の経過とともにフリッカの程度が増大することがない。
【００６６】
Ｃ．第３実施例：
第１および第２実施例においては、液晶ライトバルブ１２０の液晶面内のすべてのラインの駆動電圧の極性が一斉に切り替わる「面順次駆動」が行われる。しかし、第３実施例においては、液晶面内の左右方向の各ラインの駆動電圧の極性が上から順に切り替えられる「線順次駆動」が行われる。
【００６７】
線順次駆動においては、通常、液晶面内の上側に位置する複数のラインと下側に位置する複数のラインとは、互いに異なる極性の駆動電圧で駆動される。すなわち、液晶面内に異なる極性の駆動電圧で駆動されるラインの境界が存在する。そして、各ラインの駆動電圧の極性が上から順に切り替えられることによって、異なる極性の駆動電圧で駆動されるラインの境界が徐々に液晶面内の下の方に向う。最終的に、液晶面内の下端のラインの駆動電圧の極性が切り替わった瞬間には、すべてのラインがプラス（またはマイナス）の同じ極性の駆動電圧で駆動される。それ以外のときには、液晶面内に異なる極性の駆動電圧で駆動されるラインの境界が存在し、液晶面内の上側に位置する複数のラインと下側に位置する複数のラインとは、互いに異なる極性の駆動電圧で駆動されている。
【００６８】
このため、ある入力信号に基づいてプラス駆動によってラインが表示する色の明るさと、同じ入力信号に基づいてマイナス駆動によってラインが表示する色の明るさとに差がある場合、線順次駆動においては、画面全体の平均輝度は増減を繰り返す。これが、ユーザには画面全体の明滅（フリッカ）として認識される。
【００６９】
図５は、第３実施例における制御部１７０ｃの構成を示すブロック図である。第３実施例においては、液晶ライトバルブ１２０のすべてのラインがプラス駆動となるとき、または液晶ライトバルブ１２０のすべてのラインがマイナス駆動となるときに、所定の時間だけ発光部１０２Ｒ，Ｇ，Ｂの発光量を低下させる。
【００７０】
第３実施例の第２のＤＳＰ１７３ｃは、光源制御パラメータＬＣＰを決定するための１次元ＬＵＴ１７７に代えて、発光量を低下させる時間Ｔｏの長さを実質的に表す光源制御パラメータＬＣＰ２を決定するための１次元ＬＵＴ１７７ｃを有する。そして、第２のＤＳＰ１７３ｃは、どのタイミングで発光部１０２Ｒ，Ｇ，Ｂの発光量を低下させるかを表すパラメータＰｔ１を格納している。また、第３実施例のＰＷＭ信号生成部１７５ｃは、光源制御パラメータＬＣＰ２と発光量を低下させる時間Ｔｏとを対応づけて格納している１次元ＬＵＴ１７８ｃを有している。第３実施例の他の点は、第１実施例と同じである。
【００７１】
第１実施例と同様、第３実施例の制御部１７０ｃは、所定のタイミングで１次元ＬＵＴ１７７ｃを生成する。その際、制御部１７０ｃは、プラス駆動時の投射光の平均輝度ＬＡ１と、マイナス駆動時の平均輝度ＬＡ２とを、所定の映像信号ＩＳを使って測定する。この測定は、第１実施例と同様、明るさの階調が異なる複数の映像信号ＩＳを使って行われる。
【００７２】
その後、プラス駆動時の各階調の平均輝度ＬＡ１の平均値ＬＡ１ａと、マイナス駆動時の各階調の平均輝度ＬＡ２の平均値ＬＡ２ａとが計算される。
【００７３】
プラス駆動の平均値ＬＡ１ａが、マイナス駆動時の平均値ＬＡ２ａよりも大きいときには、パラメータＰｔ１は０に設定される。パラメータＰｔ１が０である場合には、プロジェクタＰＪを使用して画像を表示する際、すべてのラインがプラス駆動となるタイミングｔａ１を含む所定の時間だけ、液晶ライトバルブ１２０Ｒ，Ｇ，Ｂの発光量が低減される。
【００７４】
一方、マイナス駆動時の各階調の平均輝度ＬＡ２の平均値ＬＡ２ａが、プラス駆動時の各階調の平均輝度ＬＡ１の平均値ＬＡ１ａよりも大きいときには、パラメータＰｔ１は１に設定される。パラメータＰｔ１が１である場合には、プロジェクタＰＪを使用して画像を表示する際、すべてのラインがマイナス駆動となるタイミングｔａ２を含む所定の時間だけ、液晶ライトバルブ１２０Ｒ，Ｇ，Ｂの発光量が低減される。
【００７５】
また、制御部１７０は、プラス駆動時の平均輝度ＬＡ１とマイナス駆動時の平均輝度ＬＡ２との差の大きさに基づいて、発光量の低下時間Ｔｏの大きさを決定するための光源制御パラメータＬＣＰ２を決定する。光源制御パラメータＬＣＰ２は、平均輝度ＬＡ１とＬＡ２との差が大きいほど発光量の低下時間Ｔｏが大きくなるように定められる。各光源制御パラメータＬＣＰ２は、それぞれの階調の映像信号ＩＳに基づいて投射されたプラス駆動時の投射光の平均輝度ＬＡ１と対応づけられて、１次元ＬＵＴ１７７ｃに格納される。
【００７６】
以上のようにして、光源制御パラメータＬＣＰ２を投射光の平均輝度を対応づけて格納する１次元ＬＵＴ１７７ｃが生成され、パラメータＰｔ１の値が決定される。
【００７７】
図６は、第３実施例のプロジェクタを使用して画像を表示する際の発光部および液晶ライトバルブの制御内容を示すグラフである。第３実施例においては、線順次駆動を行うため、どの時間にプラス駆動を行いどの時間にマイナス駆動を行うかは、液晶ライトバルブ１２０のラインごとに異なる。このため図６では、液晶ライトバルブ１２０の全ラインの駆動電圧ＬＤＶ（図４参照）に代えて、液晶ライトバルブ１２０の最上段のラインの駆動電圧ＬＤＶｔを示す。また、液晶ライトバルブ１２０を光が透過する量ＬＩ（図４参照）に代えて、液晶ライトバルブ１２０の最上段のラインを光が透過する量ＬＩｔを示す。図６の他の表記は図４と同じである。
【００７８】
第２のＤＳＰ１７３ｃは、第１のＤＳＰ１７１から映像信号ＩＳの平均輝度レベル信号ＡＰＬを受け取ると（図５参照）、１次元ＬＵＴ１７７ｃを参照して、平均輝度レベル信号ＡＰＬに基づいて光源制御パラメータＬＣＰ２を決定する。そして、第２のＤＳＰ１７３ｃは、光源制御パラメータＬＣＰ２と、光源駆動トリガＬＤＴと、あらかじめ定められているパラメータＰｔ１とをＰＷＭ信号生成部１７５ｃに供給する。
【００７９】
図６の例では、マイナス駆動時において液晶ライトバルブ１２０のラインを光が透過する量ＬＩ２が、プラス駆動時において液晶ライトバルブ１２０のラインを光が透過する量ＬＩ１よりも大きい。このため、パラメータＰｔ１は１とされているはずである。
【００８０】
ＰＷＭ信号生成部１７５ｃは、光源駆動トリガＬＤＴと、光源制御パラメータＬＣＰ２と、パラメータＰｔ１とに基づいて、ＰＷＭ信号ＬＤＳを生成し、光源駆動部１７６に供給する。パラメータＰｔ１が０であるときには、液晶ライトバルブ１２０のすべてのラインがプラス駆動となるときｔａ１を含む所定の時間Ｔｏだけ発光部１０２Ｒ，Ｇ，Ｂの発光量が低減される。一方、パラメータＰｔ１が１であるときには、液晶ライトバルブ１２０のすべてのラインがマイナス駆動となるときｔａ２を含む所定の時間Ｔｏだけ、発光部１０２Ｒ，Ｇ，Ｂの発光量が低減される。
【００８１】
また、ＰＷＭ信号生成部１７５ｃは、１次元ＬＵＴ１７８ｃを参照して、光源制御パラメータＬＣＰ２に応じて、発光量を低減する時間Ｔｏを決定する。その時間Ｔｏにおける発光部１０２の発光量はＬｄ０２であり、他の時間においては、発光部１０２の発光量はＬｄ０１である（Ｌｄ０１＞Ｌｄ０２）。ＰＷＭ信号生成部１７５ｃは、発光部１０２の発光量がそのように変化するように、ＰＷＭ信号ＬＤＳを生成する。なお、発光量Ｌｄ０１，Ｌｄ０２はあらかじめ定められている。
【００８２】
図６の例では、液晶ライトバルブ１２０のすべてのラインがマイナス駆動となるとき、すなわち、時間区間Ｐ２とＰ３の間、Ｐ４とＰ５（図示せず）の間などにおいて、光源制御パラメータＬＣＰ２が表す時間Ｔｏだけ発光部１０２Ｒ，Ｇ，Ｂの発光量が低減される。なお、液晶ライトバルブ１２０のすべてのラインがマイナス駆動となるときを、図６中でｔａ２で示す。一方、液晶ライトバルブ１２０のすべてのラインがプラス駆動となるときを、図６中でｔａ１で示す。
【００８３】
このような処理を行うことで、プラス駆動とマイナス駆動のうち表示色の輝度が明るい方の駆動方式ですべてのラインが駆動される時刻を含む所定時間Ｔｏだけ、発光部１０２の発光量が低減される。このため、画面における輝度の変化がユーザの目に付きにくくなる。
【００８４】
また、発光部１０２の発光量を低減する時間Ｔｏは、平均輝度レベル信号ＡＰＬに基づいて定められる。このため、明るさの異なる様々な色や画像について、フリッカを低減することができる。
【００８５】
Ｄ．変形例：
なお、この発明は上記の実施例や実施形態に限られるものではなく、その要旨を逸脱しない範囲において種々の態様において実施することが可能であり、例えば次のような変形も可能である。
【００８６】
Ｄ１．変形例１：
第１実施例において、光センサ１９２は、ひとみ位置の散乱光を測定できる位置に設けられていた。しかし、光センサ１９２は、他の位置に設けることもできる。ただし、光センサ１９２は、液晶ライトバルブ１２０Ｒ，Ｇ，Ｂよりも下流の光を測定できる位置に設けられることが好ましい。
【００８７】
Ｄ２．変形例２：
第１実施例においては、発光部１０２は発光ダイオードであった。しかし、発光部１０２は、レーザやＳＬＤ（スーパールミネセントダイオード）を含む固体光源など、他の構成とすることもできる。
【００８８】
また、上記実施例では、発光部１０２が射出する光の色は、赤色、緑色、および青色であった。しかし、光源の光の色は、白色とすることもできる。
【００８９】
Ｄ３．変形例３：
上記実施例では、表示素子としての液晶ライトバルブは、受け取った光を透過させることによって、駆動電圧に応じた量の光を射出する。しかし、表示素子は、受け取った光を反射させることによって、駆動電圧に応じた量の光を射出する態様とすることもできる。
【００９０】
Ｄ４．変形例４：
上記第１および第２実施例では、マイナス駆動時の発光部１０２の発光量を調整することでフリッカの低減を図っていた。しかし、プラス駆動時の発光部１０２の発光量を調整する態様や、プラス駆動時およびマイナス駆動時の発光部１０２の発光量を調整する態様とすることもできる。
【００９１】
Ｄ５．変形例５：
上記第１および第３実施例では、光源制御パラメータは、ルックアップテーブルに基づいて定められる。しかし、光源制御パラメータは、数式に基づいて決定することもできる。そのような態様においては、あらかじめセンサで測定されたプラス駆動時とマイナス駆動時の投射光の平均輝度に基づいて、その数式を決定することが好ましい。
【００９２】
Ｄ６．変形例６：
上記実施例では、グレーの映像信号ＩＳを使用して光量調整に使用する参照データ（１次元ＬＵＴ１７７など）が生成されていた。しかし、光量調整に使用する参照データを生成する際には、グレー以外にも、肌色などの他の色の映像信号を使用して行うこともできる。ただし、クロスダイクロイックプリズム１３０で合成された後の光を測定して参照データを生成する態様においては、映像信号は、赤、緑、青の各色成分を有する色のデータであることが好ましい。
【００９３】
Ｄ７．変形例７：
上記実施例では、光量調整に使用する参照データは、赤色、緑色、青色の各照明光学系１１０Ｒ，Ｇ，Ｂの制御に共通に使用される。しかし、赤色、緑色、青色の各照明光学系１１０Ｒ，Ｇ，Ｂのそれぞれの制御のために、個別に参照データを保持する態様とすることもできる。そのような態様においては、光量調整に使用する参照データは、別々に生成されることが好ましい。
【００９４】
たとえば、赤色の光量調整に使用する参照データを生成する際には、発光部１０２Ｒから光を射出させ、発光部１０２Ｇ，Ｂからは光を射出させないで、赤色光のみをセンサによって測定して生成することが好ましい。同様に、緑色の光量調整に使用する参照データを生成する際には、発光部１０２Ｇのみから光を射出させ、緑色光のみをセンサによって測定して生成することが好ましい。青色の光量調整に使用する参照データを生成する際には、発光部１０２Ｂのみから光を射出させ、青色光のみをセンサによって測定して生成することが好ましい。
【００９５】
Ｄ８．変形例８：
第３実施例においては、センサで測定した輝度に基づいて発光量を低下させる時間Ｔｏの長さが決定される。しかし、センサで測定した輝度に基づいて発光量を低下させる際の発光量Ｌｄ０２をも決定する態様とすることもできる。
【００９６】
Ｄ９．変形例９：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、制御部１７０（図１）の機能の一部をホストコンピュータ８８が実行するようにすることもできる。
【００９７】
このような機能を実現するコンピュータプログラムは、フロッピディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に格納されたコンピュータプログラムがホストコンピュータのマイクロプロセッサによって実行される。また、記録媒体に記録されたコンピュータプログラムをホストコンピュータが直接実行するようにしてもよい。
【００９８】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【００９９】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【０１００】
【図１】第１実施例におけるプロジェクタＰＪの概略構成を示す説明図。
【図２】制御部１７０の構成を示すブロック図。
【図３】プロジェクタＰＪを使用して画像を表示する際の発光部および液晶ライトバルブの制御内容を示すグラフ。
【図４】第２実施例のプロジェクタを使用して画像を表示する際の発光部および液晶ライトバルブの制御内容を示すグラフ。
【図５】第３実施例における制御部１７０ｃの構成を示すブロック図。
【図６】第３実施例のプロジェクタを使用して画像を表示する際の発光部および液晶ライトバルブの制御内容を示すグラフ。
【符号の説明】
【０１０１】
１０２Ｂ…青色光を射出する発光部
１０２Ｇ…緑色光を射出する発光部
１０２Ｒ…赤色光を射出する発光部
１１０Ｂ…青色光の照明光学系
１１０Ｇ…緑色光の照明光学系
１１０Ｒ…赤色光の照明光学系
１２０Ｂ…青色光の液晶ライトバルブ
１２０Ｇ…緑色光の液晶ライトバルブ
１２０Ｒ…赤色光の液晶ライトバルブ
１３０…クロスダイクロイックプリズム
１４０…投写光学系
１７０，１７０ｃ…制御部
１７１…第１のＤＳＰ
１７２…液晶駆動部
１７３，１７３ｃ…第２のＤＳＰ
１７４…センサ駆動部
１７５，１７５ｃ…ＰＷＭ信号生成部
１７６…光源駆動部
１９２…光センサ
ＡＰＬ…平均輝度レベル信号
ＩＳ…映像信号
ＩＳｒ…赤色の色データ
Ｌ１…プラス駆動時の発光部１０２の発光量
Ｌ２…マイナス駆動時の発光部１０２の発光量
ＬＣＰ…光源制御パラメータ
ＬＣＰ２…光源制御パラメータ
ＬＤＣ…実際のコモン電圧
ＬＤＣｉ…理想的なコモン電圧
ＬＤＴ…光源駆動トリガ
ＬＤＶ…液晶ライトバルブ１２０の各ラインの駆動電圧
ＬＤＶｔ…液晶ライトバルブ１２０の最上段のラインの駆動電圧
ＬＩ…液晶ライトバルブ１２０を光が透過する量（割合）の平均値
ＬＩ１…プラス駆動時に液晶ライトバルブ１２０を光が透過する量の平均値
ＬＩ２…マイナス駆動時に液晶ライトバルブ１２０を光が透過する量の平均値
ＬＩｔ…液晶ライトバルブ１２０の最上段のラインを光が透過する量（割合）の平均値
Ｌｄ…発光部１０２の発光量
Ｌｄ０１…通常時の発光部１０２の発光量
Ｌｄ０２…減光時の発光部１０２の発光量
Ｌｄ１…時間区間Ｐ１における発光部１０２の発光量
Ｌｄ２…時間区間Ｐ２における発光部１０２の発光量
Ｌｄ３…時間区間Ｐ３における発光部１０２の発光量
Ｌｄ４…時間区間Ｐ４における発光部１０２の発光量
ＬｓＡ１…時間区間Ｐ１の投射光の平均輝度
ＬｓＡ２…時間区間Ｐ２の投射光の平均輝度
ＬｓＡ３…時間区間Ｐ３の投射光の平均輝度
ＬｓＡ４…時間区間Ｐ４の投射光の平均輝度
Ｐｔ１…減光を行うタイミングを表すパラメータ
Ｐ１〜Ｐ４…時間区間
ＰＪ…プロジェクタ
ＳＤ…センサ駆動信号
ＳＯ…出力信号
ＳＯａ…出力信号
Ｔｏ…光量を低下させる時間
ＶＳｙｎｃ…垂直同期信号
ｄＬｓＡ１…時間区間Ｐ１の平均輝度ＬｓＡ１と時間区間Ｐ２の平均輝度ＬｓＡ２の差
ｄＬｓＡ３…時間区間Ｐ３の平均輝度ＬｓＡ３と時間区間Ｐ４の平均輝度ＬｓＡ４の差
ｄＶ１…プラス駆動時における駆動電圧ＬＤＶのコモン電圧ＬＤＣとの差
ｄＶ２…マイナス駆動時における駆動電圧ＬＤＶのコモン電圧ＬＤＣとの差
ｔａ１…すべてのラインがプラス駆動となるタイミングタイミング
ｔａ２…すべてのラインがマイナス駆動となるタイミングタイミング
ｔｓ１…投射光の平均輝度ＬｓＡ１を測定する時刻
ｔｓ２…投射光の平均輝度ＬｓＡ２を測定する時刻
【図１】
2008152108.tif 000003
【図２】
2008152108.tif 000004
【図３】
2008152108.tif 000005
【図４】
2008152108.tif 000006
【図５】
2008152108.tif 000007
【図６】
2008152108.tif 000008